(57)【特許請求の範囲】
【請求項１】
操作体の操作部への操作によって所定の信号が入力される操作型入力装置であって、
外方に面した表面に開口部を有するカバーと、
前記カバーの前記開口部に配置され、前記開口部の内縁と隙間を介して隣接した表面部を有する加飾体とを備え、
前記加飾体は前記表面部から内方へ延出する側壁部と、前記側壁部から略直交する側方へ前記隙間の範囲以上に突出した突出部を設け、
前記側壁部と前記突出部の交差部に、前記隙間より大なる範囲において、前記交差部の方向に窪んだ略曲面状の傾斜部を設けた操作型入力装置。
【請求項２】
前記加飾体は前記カバーの前記開口部に配置された前記操作体で、前記操作体の前記表面部が前記操作部である請求項１に記載の操作型入力装置。
【発明の詳細な説明】
【技術分野】
【０００１】
本発明は、主に自動車内の前方のインストルメントパネルやステアリングに装着される操作型入力装置に関するものである。
【背景技術】
【０００２】
近年、車室内のインストルメントパネルやステアリング等において、表面となる操作体や仕切り用の仕切り体に金属メッキ等の光沢処理を施した加飾体を用いるものが増えており、加飾体が見易く、外観上、良好なものが求められている。
【０００３】
なお、従来の操作型入力装置としては、特許文献１に開示されるような操作型入力装置が知られている。
【０００４】
このような操作型入力装置は、カバーの開口部から操作部が突出し、上下動可能に配設された操作体と、操作体の下端に押圧型のスイッチを備え、操作部への押圧操作に応じて下方のスイッチの電気的接離が行なわれる。
【０００５】
操作体の操作部外縁とカバーの開口部内縁との間には、これらが接触して擦れないようにある程度の隙間が設けられている。
【０００６】
そして、操作部の下部には操作体が外方へ抜け出さないように、また、下方の配線基板上のＬＥＤ等の発光素子からの光が不要に外方に漏れないように、側方に突出したフランジ状の突出部が設けられて、操作型入力装置が構成されているものであった。
【０００７】
なお、この出願の発明に関連する先行技術文献情報としては、例えば、特許文献１が知られている。
【先行技術文献】
【特許文献】
【０００８】
【特許文献１】実開平４−４３０５２号公報
【発明の概要】
【発明が解決しようとする課題】
【０００９】
しかしながら、上記従来の操作型入力装置においては、操作体の操作部外縁とカバーの開口部内縁との間には、ある程度の隙間が存在するため、外方からの太陽光や室内灯などの外光が隙間を通過して内方へ入り、操作部下部のフランジ部表面によって光が上方の隙間を通過して外方へ反射する。特に、金属メッキ等の光沢処理を施した加飾体の場合には、その光はより反射し易くなる。
【００１０】
このとき、操作体の操作部を目視した場合、突出部表面で反射した光によって、操作部周囲の隙間から内方の突出部が見えるため、外観的にも好ましくないという課題があった。
【００１１】
本発明は、このような従来の課題を解決するものであり、加飾体周囲の突出部からの反射が少なく、加飾体の周囲の隙間から内方の突出部が見え難くなり、外観上も良好な操作型入力装置を提供することを目的とする。
【課題を解決するための手段】
【００１２】
上記目的を達成するために本発明は、操作体の操作部への操作によって所定の信号が入力される操作型入力装置であって、外方に面した表面に開口部を有するカバーと、カバーの開口部に配置され、開口部の内縁と隙間を介して隣接した表面部を有する加飾体とを備え、加飾体は表面部から内方へ延出する側壁部と、側壁部から略直交する側方に隙間の範囲を超えて突出した突出部を設け、側壁部と突出部の交差部に、隙間より大なる範囲において、交差部の方向に窪んだ略曲面状の傾斜部を設けて操作型入力装置を構成する。
【発明の効果】
【００１３】
本発明によれば、加飾体とカバー表面との隙間に入った外光は傾斜部によって、隙間方向には反射せず側方へ反射されるため、隙間から外方へ反射する光は低減し、加飾体の周囲の隙間から内方の突出部が見え難くなり、外観上も良好な操作型入力装置を得ることができるという有利な効果が得られる。
【図面の簡単な説明】
【００１４】
【図１】本発明の一実施の形態による操作型入力装置の断面図
【図２】同分解斜視図
【図３】同斜視図
【発明を実施するための形態】
【００１５】
以下、本発明の実施の形態について、図１〜図３を用いて説明する。
【００１６】
（実施の形態）
図１は本発明の一実施の形態による操作型入力装置の断面図、図２は同分解斜視図、図３は同斜視図である。
【００１７】
カバー１はアクリロニトリルブタジエンスチレン共重合体（以降、ＡＢＳと記載する）等の絶縁性樹脂製で、略箱状に形成され、上面には開口部１Ａが設けられている。
【００１８】
保持体２はＡＢＳ等の絶縁性樹脂製で、略平板状の基部２Ａに略筒状で内側が開口した複数の保持部２Ｂが上方へ突出している。保持部２Ｂに対し所定の間隔を空けて、上端に係止部２Ｄを設けた支持部２Ｃが、各保持部２Ｂに並んで上方へ突出している。
【００１９】
第１の加飾体としての操作体３はポリカーボネート（以下、ＰＣと記載する）等の透光性の絶縁性樹脂製で、外面にはシルバー色、クローム色、パール色又は黒色等の光沢のある金属メッキが施されている。
【００２０】
操作体３は下方が開口した略箱状で、開口部１Ａ内に配置され、保持部２Ｂに上下動可能に装着されている。
【００２１】
操作体３の上部には外方に面した表面部としての操作部３Ａと、操作部３Ａの四方の外縁から下方に延出した側壁部３Ｂと、側壁部３Ｂから略直交する側方へ側壁部３Ｂの下方全体が突出した突出部３Ｃが形成されている。
【００２２】
また、第２の加飾体としての仕切り体４はＡＢＳやＰＣ等の絶縁性樹脂製で、略長板状に形成され、外面にはシルバー色、クローム色、パール色又は黒色等の光沢のある金属メッキが施されている。
【００２３】
なお、操作体３や仕切り体４の外面に光沢のある金属メッキを施すことに代えて、操作体３や仕切り体４自体の外面を高光沢に表面仕上げしたものや明色の材質の絶縁性樹脂製のもの、あるいは外面を高光沢や明色の塗装を施したものにしてもよい。
【００２４】
そして、仕切り体４の係止孔４Ａに保持体２の支持部２Ｃ上部の係止部２Ｄが係止されて、仕切り体４は複数の操作体３と開口部１Ａの内縁との間に装着されている。
【００２５】
仕切り体４には外方に露出した表面部４Ｂと、操作体３側に面する内縁４Ｃと、操作体３側とは反対側には下方に延出する側壁部４Ｄ、及び側壁部４Ｄから略直交する方向に略フランジ状に突出した突出部４Ｅが形成されている。
【００２６】
そして、操作部３Ａの外縁すなわち側壁部３Ｂとカバー１の開口部１Ａの内縁との間や、側壁部３Ｂと仕切り体４の内縁４Ｃとの間には例えば０．３ｍｍ〜０．７ｍｍの隙間Ａを有する。このような隙間Ａは開口部１Ａ内に操作体３が配置され、上下動操作される上で、開口部１Ａや仕切り体４に対し操作体３の擦れが無く円滑に操作するために、ある程度必要となっている。
【００２７】
また、突出部３Ｃは隙間Ａの範囲を超えて側壁部３Ｂから側方へ突出している。このため、外方から隙間Ａを介して内部の構成部材が見えることがなく、外方から内部に塵埃などの異物が直接侵入することを防ぐ。
【００２８】
さらに、側壁部３Ｂと突出部３Ｃとの交差部３Ｄには、略平面状の傾斜部３Ｅが形成されている。傾斜部３Ｅは上方の隙間Ａの幅より大なる範囲で、側壁部３Ｂから突出部３Ｃの突出方向に下降する傾斜を有している。その傾斜角度は１５度〜８０度、好ましくは３０度〜６０度である。
【００２９】
そして、仕切り体４の側壁部４Ｄと開口部１Ａとの間には隙間Ａと同様に例えば０．３ｍｍ〜０．７ｍｍの隙間Ｂを有する。
【００３０】
また、仕切り体４の突出部４Ｅは隙間Ｂの範囲を超えて側壁部４Ｄから側方へ突出している。このため、外方から隙間Ｂを介して内部の構成部材が見えることがなく、外方から内部に塵埃などの異物が直接侵入することを防ぐ。
【００３１】
さらに、側壁部４Ｄと突出部４Ｅとの交差部４Ｆには、略平面状の傾斜部４Ｇが形成されている。傾斜部４Ｇは上方の隙間Ｂの幅を超える範囲で、側壁部４Ｄから突出部４Ｅの突出方向に下降する傾斜を有している。その傾斜角度は１５度〜８０度、好ましくは３０度〜６０度である。
【００３２】
プリント基板５の上面には複数のプッシュスイッチ６や複数のＬＥＤ等の発光素子７が実装されている。プッシュスイッチ６の操作部上面には操作体３下端の押圧部３Ｆが当接して、操作体３の上下動に伴ってプッシュスイッチ６のＯＮ／ＯＦＦが行われる。発光素子７は操作体３の略中央の下方に配置され、操作体３を下面から照光する。
【００３３】
カバー１内に保持体２や操作体３及び仕切り体４が収納され、カバー１下方をプリント基板５が覆って操作型入力装置が構成されている。
【００３４】
以上のように構成された操作型入力装置は、例えば、車両前方のインストルメントパネルに操作体３や仕切り体４が外方に面して装着され、車両のオーディオ機器やエアコン等の電子機器に接続される。
【００３５】
そして、例えば、図３に示す操作型入力装置の右側の操作部３Ａを押圧操作すると、下方のプッシュスイッチ６のＯＮ／ＯＦＦが入力され、この信号がオーディオ機器に出力されて、ＣＤの選曲を切換える。
【００３６】
このような操作型入力装置は、第１の加飾体としての操作体３自体や、それらの配置を示す第２の加飾体としての仕切り体４が判別し易いように、操作体３や仕切り体４は光沢のある金属メッキ等が施されている。
【００３７】
そして、昼間、太陽光などの外光が車内に射し込んでいる状態で、操作型入力装置表面の操作部３Ａや仕切り体４を目視したときに、操作部３Ａの外縁の隙間Ａや仕切り体４の外縁の隙間Ｂに入った光は傾斜部３Ｅや傾斜部４Ｇによって、隙間Ａ方向や隙間Ｂ方向ではなく、斜め上方に反射する。
【００３８】
よって、操作部３Ａの隙間Ａからは、下方の傾斜部３Ｅを含む突出部３Ｃの表面や、仕切り体４の隙間Ｂから下方の傾斜部４Ｇを含む突出部４Ｅの表面が、外方からは見え難くなる。
【００３９】
つまり、外面が光沢のある金属メッキなど光が反射し易い表面を有する操作体３や仕切り体４などの第１及び第２の加飾体において、側壁部３Ｂ、４Ｄと突出部３Ｃ、４Ｅとの各交差部３Ｄ、４Ｆに略平面状の傾斜部３Ｅ、４Ｇを設けることによって、外方からの光が傾斜部３Ｅ、４Ｇによって隙間Ａ、Ｂ方向へは反射せず、加飾体とカバー１との隙間Ａ、Ｂから内方の突出部３Ｃ、４Ｅが見え難くなる。
【００４０】
特に、操作体３の場合には、操作体３が開口部１Ａ内で上下動操作などの作動操作されるため、表面部となる操作部３Ａと開口部１Ａ内縁等との隙間Ａは比較的大きくなる。そこで、側壁部３Ｂと突出部３Ｃとの交差部３Ｄに傾斜部３Ｅを設けることで、操作体３の作動操作は開口部１Ａとの擦れ等がなく安定したものになることに加え、操作部３Ａの周囲の突出部３Ｃによる反射光が減少し、隙間Ａから内方の突出部３Ｃが見え難くなる。よって、操作部３Ａの輪郭が明瞭になり、各操作部３Ａを視認し易く、操作し易い操作型入力装置にできる。
【００４１】
このように本実施の形態によれば、操作体３の操作部３Ａや仕切り体４の表面部４Ｂから内方へ延出する側壁部３Ｂ、４Ｄと、側壁部３Ｂ、４Ｄから略直交する側方へ隙間Ａ、Ｂの範囲以上に突出した突出部３Ｃ、４Ｅを設けた操作体３や仕切り体４などの加飾体において、側壁部３Ｂ、４Ｄと突出部３Ｃ、４Ｅの交差部３Ｄ、４Ｆに隙間Ａ、Ｂ以上の範囲の略平面状の各傾斜部３Ｅ、４Ｇを設けることによって、操作体３や仕切り体４などの加飾体とカバー１表面との間の隙間Ａ、Ｂから入った外光は傾斜部３Ｅ、４Ｇにより、隙間Ａ、Ｂ方向には反射せず斜め側方へ反射して、隙間Ａ、Ｂから外方へ反射する光は減少し、操作体３や仕切り体４の突出部３Ｃ、４Ｅの上面は見え難くなるため、簡易な構成で、加飾体の周囲の隙間から内方の突出部３Ｃ、４Ｅが見え難く、外観上も良好な操作型入力装置を実現することができる。
【００４２】
また、傾斜部を略平面状としたが、側壁部と突出部との交差部方向に窪んだ略曲面状に形成してもよい。略曲面状に形成することによって、隙間方向への光の反射光はやや増えるが、略平面状の場合に比べ、開口部の内縁と突出部との間隔を接近させることができ、より小型のものにすることができる。
【００４３】
さらに、以上の説明では、操作体３の下方にプッシュスイッチを配設した押圧操作の操作型入力装置としたが、カバーから上方に揺動レバーが突出した揺動操作型や、ダイヤルや回転つまみを用いた回転操作型、あるいは操作部にタッチ操作の入力部を備えたタッチ操作型など、本願発明は、カバーとの間に隙間を介して加飾体を配設したものであれば多様な操作型入力装置に適用可能である。
【産業上の利用可能性】
【００４４】
本発明による操作型入力装置は、簡易な構成で、加飾体の周囲の隙間から内方の突出部が見え難く、外観上も良好なものを実現することができるという有利な効果を有し、主に自動車内の前方のインストルメントパネルやステアリングに装着される各種電子機器の操作用として有用である。
【符号の説明】
【００４５】
１  カバー
１Ａ  開口部    
２  保持体
２Ａ  基部
２Ｂ  保持部
２Ｃ  支持部
２Ｄ  係止部
３  操作体
３Ａ  操作部
３Ｂ、４Ｄ  側壁部
３Ｃ、４Ｅ  突出部
３Ｄ、４Ｆ  交差部
３Ｅ、４Ｇ  傾斜部
４  仕切り体
４Ａ  係止孔
４Ｂ  表面部
４Ｃ  内縁
５  プリント基板
６  プッシュスイッチ
７  発光素子
【図１】
0006547125.tif 000002
【図２】
0006547125.tif 000003
【図３】
0006547125.tif 000004